(57)【要約】  【課題】  本発明は、浄水器から出る浄水にカルシウムを添加するカルシウム添加部を設け、イオン水の取り出し制御用スイッチ装置と浄水器とカルシウム添加部とを流し台の上面側に配置して、スイッチ装置の操作性の向上と、浄水器のフィルタ交換及びカルシウム剤の補給をし易くする給水装置を提供するものである。  【解決手段】  電解槽が流し台の上壁の下側空間に取り付けられ、浄水器への上水道水入口と浄水出口を下部に形成して浄水器とスイッチ装置を収納するケースと、このケースの下側にあってカルシウム添加筒部を併設し内部にて浄水出口から出る浄水がカルシウム添加筒部へ入る入口通路とカルシウム添加筒部から出る出口通路と更に上水道水入口へ連通する上水道水通路とを形成しスイッチ装置へ接続するリード線を挿通する接続部材を介してケースを流し台の上壁に取り付けたこと。【選択図】    図１
2006057281.tif 000002
【特許請求の範囲】
【請求項１】
上水道水が浄水器にて浄化された浄水を導入してイオン水を生成する電解槽を備えてスイッチ装置によって吐出路からアルカリ水と酸性水と前記浄水を選択的に取り出す流し台において、前記電解槽が前記流し台の上壁の下側空間に取り付けられ、前記浄水器への上水道水入口と浄水出口を下部に形成して前記浄水器と前記スイッチ装置を収納するケースと、このケースの下側にあってカルシウム添加筒部を併設し内部にて前記浄水出口から出る浄水がこのカルシウム添加筒部へ入る入口通路とこのカルシウム添加筒部から出る出口通路と更に前記上水道水入口へ連通する上水道水通路とを有し前記スイッチ装置へ接続するリード線を挿通する接続部材を備え、この接続部材を介して前記ケースを前記流し台の上壁に取り付けたことを特徴とする流し台の給水装置。
【請求項２】
上水道水が浄水器にて浄化された浄水を導入してイオン水を生成する電解槽を備えてスイッチ装置によって吐出路からアルカリ水と酸性水と前記浄水を選択的に取り出す流し台において、前記電解槽が第１部材を介して前記流し台の上壁の下側に取り付けられ、前記浄水器に対する上水道水入口と浄水出口とを下部に形成した浄水器収納部と前記スイッチ装置の収納部とを形成したケースを備え、このケースは縦長のカルシウム添加筒を着脱自在に収納するカルシウム添加部を併設した第２部材を介して前記流し台の上壁の上側に取り付けられ、前記電解槽、前記浄水器および前記カルシウム添加部に連通する各水通路と、前記電解槽の電装部と前記スイッチ装置との電気配線を前記第１部材内と前記第２部材内を通した配置としたことを特徴とする流し台の給水装置。
【請求項３】
上水道水が浄水器にて浄化された浄水を導入してイオン水を生成する電解槽を備えてスイッチ装置によって吐出路からアルカリ水と酸性水と前記浄水を選択的に取り出す流し台において、前記電解槽が前記流し台の上壁の下側空間に取り付けられ、前記流し台の上壁の上側には前記スイッチ装置と前記浄水器とを収納し前記吐出路に連通したイオン水取り出しパイプを上方に延出したケースを備え、前記ケースは、上面にスイッチ装置の操作部が配置される関係で上部にスイッチ装置の収納部を形成し、この収納部の下方には横長円筒形の浄水器を収納する横長円筒形の浄水器収納部を形成し、この浄水器収納部の一側方には上面開口からカルシウム添加筒が着脱自在に収納され前記浄水器と水通路で連通した縦長円筒形のカルシウム添加部を形成し、前記浄水器収納部の他側方には前記浄水器の着脱用開口を形成すると共にこの開口部にキャップを着脱自在に取り付けたことを特徴とする流し台の給水装置。
【発明の詳細な説明】
【技術分野】
【０００１】
本発明は、浄水フィルタを備えた浄水器を通過した上水道水を電解槽に導入して生成したイオン水を吐出路から取り出す流し台の給水装置に関する。
【背景技術】
【０００２】
浄水フィルタを備えた浄水器、この浄水器から出る浄水を導入してイオン水を作る電解槽、及びイオン水の取り出しと停止を制御するスイッチ装置を備え、このスイッチ装置を流し台の上方へ突出状態に配置し、スイッチ装置の操作によってイオン水をメインパイプから取り出し、余水をサブパイプから取り出す構成の整水装置を流し台の下部に収納設置したものがある。（例えば、特許文献１参照）。
【０００３】
この特許文献１の発明では、スイッチ装置が流し台の上方へ突出状態に配置されているが、浄水器は流し台の下方空間の奥側に配置されている。また、電解槽の電解促進のために浄水器から出る浄水にカルシウムを添加することは知られているが、このカルシウム添加部を設けた場合の構成に関しては開示されていない。
【特許文献１】特開２００３−２１３７５０号
【発明の開示】
【発明が解決しようとする課題】
【０００４】
本発明は、浄水器から出る浄水にカルシウムを添加するカルシウム添加部を設け、イオン水の取り出し制御用スイッチ装置と浄水器とカルシウム添加部とを流し台の上面側に配置して、スイッチ装置の操作性の向上と、浄水器のフィルタ交換及びカルシウム剤の補給をし易くする場合、浄水器、カルシウム添加部、スイッチ装置の流し台の上面側への取り付けのし易さを達成すると共に、水通路構成の簡素化、流し台の上面側に配置されるこれらの高さ制限ができる構成とする。また、部品の交換コストも安価になる構成を提供するものである。
【課題を解決するための手段】
【０００５】
第１の発明は、上水道水が浄水器にて浄化された浄水を導入してイオン水を生成する電解槽を備えてスイッチ装置によって吐出路からアルカリ水と酸性水と前記浄水を選択的に取り出す流し台において、前記電解槽が前記流し台の上壁の下側空間に取り付けられ、前記浄水器への上水道水入口と浄水出口を下部に形成して前記浄水器と前記スイッチ装置を収納するケースと、このケースの下側にあってカルシウム添加筒部を併設し内部にて前記浄水出口から出る浄水がこのカルシウム添加筒部へ入る入口通路とこのカルシウム添加筒部から出る出口通路と更に前記上水道水入口へ連通する上水道水通路とを有し前記スイッチ装置へ接続するリード線を挿通する接続部材を備え、この接続部材を介して前記ケースを前記流し台の上壁に取り付けたことを特徴とする。
【０００６】
また、第２の発明は、上水道水が浄水器にて浄化された浄水を導入してイオン水を生成する電解槽を備えてスイッチ装置によって吐出路からアルカリ水と酸性水と前記浄水を選択的に取り出す流し台において、前記電解槽が第１部材を介して前記流し台の上壁の下側に取り付けられ、前記浄水器に対する上水道水入口と浄水出口とを下部に形成した浄水器収納部と前記スイッチ装置の収納部とを形成したケースを備え、このケースは縦長のカルシウム添加筒を着脱自在に収納するカルシウム添加部を併設した第２部材を介して前記流し台の上壁の上側に取り付けられ、前記電解槽、前記浄水器および前記カルシウム添加部に連通する各水通路と、前記電解槽の電装部と前記スイッチ装置との電気配線を前記第１部材内と前記第２部材内を通した配置としたことを特徴とする。
【０００７】
第３の発明は、上水道水が浄水器にて浄化された浄水を導入してイオン水を生成する電解槽を備えてスイッチ装置によって吐出路からアルカリ水と酸性水と前記浄水を選択的に取り出す流し台において、前記電解槽が前記流し台の上壁の下側空間に取り付けられ、前記流し台の上壁の上側には前記スイッチ装置と前記浄水器とを収納し前記吐出路に連通したイオン水取り出しパイプを上方に延出したケースを備え、前記ケースは、上面にスイッチ装置の操作部が配置される関係で上部にスイッチ装置の収納部を形成し、この収納部の下方には横長円筒形の浄水器を収納する横長円筒形の浄水器収納部を形成し、この浄水器収納部の一側方には上面開口からカルシウム添加筒が着脱自在に収納され前記浄水器と水通路で連通した縦長円筒形のカルシウム添加部を形成し、前記浄水器収納部の他側方には前記浄水器の着脱用開口を形成すると共にこの開口部にキャップを着脱自在に取り付けたことを特徴とする。
【発明の効果】
【０００８】
第１の発明は、流し台の上壁の上側に浄水器とスイッチ装置が配置されるようにこれらがケースに収納され、カルシウム添加筒部を併設し内部にて所要の水通路を備えスイッチ装置へのリード線を挿通する接続部材を介して、このケースを流し台の上壁に取り付けるため、浄水器とカルシウム添加部に係る水通路の形成がし易く、浄水器、カルシウム添加部、スイッチ装置の流し台の上面側への取り付けのし易さが達成でき、流し台の上面側に配置されるこれらの高さが制限できる構成とすることができる。また、浄水器のフィルタ交換とカルシウム剤の補給をし易い構成となる。また、スイッチケースと前記接続部材の結合を取り外せば、スイッチケース内及び前記接続部材内の各水通路の点検や修理、スイッチ装置の点検や修理を行うことができる効果を奏する。
【０００９】
第２の発明では、第１の発明の効果に加えて、ケースと第１部材が第２部材を介して接続される構成によって、整水装置と浄水器及びカルシウム添加筒部との各水通路が第１部材と第２部材によって保護されるため、外力に対して安全であり、更に各水通路を短くできるコンパクト構成の給水装置となる。
【００１０】
第３の発明では、スイッチ装置を収納したケースに横長円筒形の浄水器収納部とその一側方に縦長円筒形のカルシウム添加部を形成した形態であるため、流し台の上面側に配置されるケースの高さが低くでき、浄水器とカルシウム添加筒の交換や修理点検等がし易い構成となる。そして、ケースの上面にスイッチ操作部が配置されるため、スイッチ操作部の視認と操作がし易いものとなる。
【発明を実施するための最良の形態】
【００１１】
本発明は、電解槽が流し台の上壁の下側空間に取り付けられ、浄水器への上水道水の入口と浄水の出口を下部に形成して浄水器とスイッチ装置を収納するケースと、このケースの下側にあってカルシウム添加筒部を併設し内部にて浄水の出口から出る浄水がこのカルシウム添加筒部へ入る入口通路とこのカルシウム添加筒部から出る出口通路と更に上水道水の入口へ連通する上水道水通路とを形成しスイッチ装置へ接続するリード線を挿通する接続部材を備え、この接続部材を介してケースを流し台の上壁に取り付けるものであり、以下に本発明の実施形態を記載する。
【実施例１】
【００１２】
次に、本発明の実施の形態について説明する。各図は本発明の実施形態を示しており、図１は本発明に係る電解槽を流し台に設置した状態の正面視での説明図、図２は本発明に係る電解槽を流し台に設置した状態の側面視での説明図、図３は本発明に係る整水ユニットとスイッチケースとの取り付け状態を断面で示す説明側面図、図４は本発明に係る第２接続部材とスイッチケース並びに第１接続部材との接続部分の断面による説明図、図５は本発明に係るスイッチケースの平面視における説明図、図６は本発明に係るスイッチケース部分の正面図、図７は本発明に係る流し台の前方側部分の部品配置状態を示す説明平面図、図８は本発明に係る電解槽の斜視図である。
【００１３】
本発明の流し台の給水装置１を図に基づき説明する。本発明に係る流し台３０は、浄水器２、イオン水生成用電解槽３、イオン水の取り出し制御用スイッチ装置８、カルシウム添加部７０を備え、カルシウム添加部７０は浄水器２と電解槽３とカルシウム添加部７０への各水通路を備えた第２部材９０に形成され、浄水器２とスイッチ装置８がスイッチ操作部８０Ａを有するケース８０に収納され、第１部材１００を介して整水装置１を流し台３０の上壁３１の下側に取り付け、第２部材９０を介してケース８０を流し台３０の上壁３１の上側に取り付け、電解槽３、浄水器２およびカルシウム添加部７０に連通する各水通路と、電解槽３の電装部５とスイッチ装置８との電気配線を第１部材１００内と第２部材内を通る配置としたものである。
【００１４】
本発明の構成を更に説明することとする。電解槽３は、浄水器２の浄水フィルタ２Ａを通過した上水道水を導入して生成したイオン水を吐出路４から取り出すものであり、電解槽３に電気的に接続される電気部品やそれを取り付けたプリント基板等を含む電装部５と電解槽３とは、一つ又は別個の箱体６に収納されて隣接並置されて一体化した整水ユニット７を構成している。電装部５へは電源供給ライン４５から給電される。
【００１５】
流し台３０は、上壁３１よりも窪んでシンク３２が形成され、シンク３２の下方空間３３は物品の収納空間である。シンク３２周辺部の上壁３１の一つの形態としては、シンク３２と一体成形によって形成されており、シンク３２はステンレススチールをプレス加工によって所定形状に窪ませたものであり、その周辺部に平坦な上壁３１が一体に形成されている。また他の形態としては、ステンレススチールをプレス加工によって所定形状に窪ませてシンク３２を形成し、このシンク３２の周辺フランジの上に当接される流し台３０の上板（後述の構造体３０Ａに一体形成する部分）が上壁３１を形成した構成でもよい。図示の形態は、前者の形態である。
【００１６】
シンク３２と一体に上壁３１を形成する前者の形態において、シンク３２の安定した固定のために、シンク３２周辺部の上壁３１の周縁部は、流し台３０を構成する構造体３０Ａ、３０Ｂ等によって支持されている。このような流し台３０において、整水ユニット７は、流し台３０のシンク３２周辺部の上壁３１下面に近接した状態でシンク３２の後側に形成される空間４１に収められている。これによって、シンク３２がシンク３２の下方空間３３に収納される物品の出し入れ等に対する防護壁となるため、電装部５と電解槽３が損傷を受けることが少なくなる。
【００１７】
また、空間４１を有効に利用して、空間３３に収納される物品の出し入れ等によって電装部５と電解槽３が損傷を受けることがないようにするためには、整水ユニット７を上壁３１下面に近接又は当接した状態に配置して、電装部５と電解槽３がシンク３２の下面３２Ａよりも上方位置になるように空間４１に収納する方法がある。
【００１８】
第１部材である接続筒体１００は、黄銅の成形体であり、その下端部に形成した鍔部１００Ａが整水ユニット７の箱体６の上壁に係止にて連結され、接続筒体１００の上端部が上壁３１を貫通して上方へ延び、この上方へ延びた部分の外面に形成したネジ部に螺合するナット１０１にて上壁３１に締付固定され、この筒体１００を利用して整水ユニット７が流し台３０の上壁３１に固定された構成である。上壁３１へ筒体１００を安定状態に固定するために、筒体１００の中間部外周に形成した鍔部１００Ｂと上壁３１との間に木材等の固定板１０３を介在させた状態で、ナット１０１を締める。これによって、上壁３１と鍔部１００Ｂによって固定板１０３が押し圧状態に締付られ、上壁３１へ筒体１００を安定状態に固定することができ、箱体６、即ち整水ユニット７を上壁３１へ安定状態に固定することができる。
【００１９】
電解槽３からイオン水や浄水を取り出す吐出水路４は、複数の通路部材から構成された吐出水路４Ａ、４Ｂを構成し、スイッチケース８０内を上方へ通るように電解槽３から第１部材１００内を通って上方へ延びている。スイッチ装置８と電装部５を電気的に接続するリード線４６と、電解槽３から上方へ延びる吐出路４の部分とが、整水ユニット７と上壁３１とに渡る接続筒体１００内を通ることにてこれらが覆われる。
【００２０】
浄水器２とスイッチ装置８が収納され、吐出水路４Ａ、４Ｂの一部分である水通路４Ａ２、４Ｂ２が配置されたスイッチケース８０は、第２の接続部材である第２部材９０を介して流し台３０の上壁３１の上側に取り付けられる。具体的には、スイッチケース８０の下端は第２部材９０の上端とパッキンを介して水密状態に接合され、スイッチケース８０と第２部材９０は、ネジ１０４によって結合されている。このように結合されたスイッチケース８０と第２部材９０は、第２部材９０の下端開口部がナット１０１を包含するよう接続筒体１００の上端部外面に嵌合した状態で流し台３０の上壁３１に当接している。この状態で第２部材９０の下端開口部は、ネジ１０５によって接続筒体１００の上端部に固定される。これによって、スイッチケース８０は第２部材９０を介して流し台３０の上壁３１上に取り付けられた状態となる。
【００２１】
このような構成によって、スイッチケース８０と整水ユニット７は、流し台３０の上壁３１の上下位置に取り付けられた状態となり、電解槽３から上方のスイッチケース８０内へ延びる吐出水路４Ａ、４Ｂは、筒体１００内と第２部材９０内を通るため、これらで覆われて外力から保護される。また、スイッチ装置８と電装部５を電気的に接続するリード線４６は、筒体１００に対応した部分で箱体６から導出されて筒体１００内を通り、更にその上方の第２部材９０内を通ってスイッチケース８０内のスイッチ装置８０と接続されるため、ネズミによって齧られる虞もなく、また外部力から保護できる状態である。
【００２２】
吐出水路４Ａ、４Ｂのうち吐出水路４Ａは、電解槽３から上方へ延びて第２部材９０内に形成した水通路４Ａ１とスイッチケース８０内に形成した水通路４Ａ２を通ってメインパイプ１５に連通している。また、吐出路４Ｂは、電解槽３から上方へ延びて第２部材９０内に形成した水通路４Ｂ１（図３の紙面に対して水通路４Ａ１の向こう側に重なった位置にある）と、スイッチケース８０内に形成した水通路４Ｂ２（図３の紙面に対して水通路４Ａ２の向こう側に重なった位置にある）とを通ってサブパイプ１６に連通している。
【００２３】
二本の吐出水路４Ａ、４Ｂは、スイッチケース８０内の水通路４Ａ２、４Ｂ２の上端部にそれぞれメインパイプ１５とサブパイプ１６が連通するように、それぞれ接続環２０、２１によってメインパイプ１５とサブパイプ１６が回動可能に接続されている。この接続環２０、２１はスイッチケース８０の上面に配置しており、メインパイプ１５とサブパイプ１６はこの部分で水密状態で左右に回動可能である。このため、メインパイプ１５とサブパイプ１６の取り付けと交換は、この接続環２０、２１を外すことによって行える。この構成によって、メインパイプ１５とサブパイプ１６は正面視で、左右に併設状態となり、左右に回動自在である。
【００２４】
スイッチケース８０は、スイッチ装置８の収納部８２と、浄水器２を収納するための浄水器収納部８１とを一体形成した合成樹脂製である。図示の形態は、スイッチ装置８の収納部８２を前面側に配置し、浄水器収納部８１を後面側に形成し、スイッチ装置８の後方には吐出水路４Ａ、４Ｂの一部分である水通路４Ａ２、４Ｂ２を配置している。浄水器収納部８１は上面開口の縦長円筒形をなし、その中に縦長円筒形の浄水器２を収納し、その上面開口はその周縁部に形成したネジ部に螺合するキャップ８３によって着脱自在に塞がれている。浄水器収納部８１は、底部の中央部に水道水入口８１Ａが形成され、底部の周辺部に浄水出口８１Ｂが形成されており、縦長円筒形の浄水器２の底部の中央部に突出形成した水道水入口２Ｓと、その周辺部に突出形成した浄水出口２Ｔとが、それぞれ水道水入口８１Ａと浄水出口８１Ｂに着脱自在に水密状態に嵌合している。このため、キャップ８３を取り外して浄水器２を浄水器収納部８１から引き出し、新規の浄水器２と交換できる。
【００２５】
スイッチケース８０は、スイッチ装置８に対する電気的絶縁と防水のために合成樹脂製の防水構成であり、スイッチ装置８の操作部である前面のスイッチタッチ面８０Ａは、可撓性の合成樹脂フィルムによって水密状態に覆われ、内部にスイッチとそれに係わる取り付け部材やリード線４６などが収納されている。スイッチタッチ面８０Ａは、操作性向上のために下方が手前に来るように斜め傾斜のスイッチタッチ面８０Ａ１とすることもできる。
【００２６】
浄水器２は、水道水入口２Ｓから流入した水道水を浄化するために、不織布のフィルタを通して水道水中の塵を濾過した後、粒状活性炭の浄化層と中空糸膜を順次通して残留塩素、トリハロメタン、農薬、濁り、カルキ臭等を濾過するための浄水フィルタ２Ａを備えている。この浄水フィルタ２Ａは、不織布のフィルタ、粒状活性炭の浄化層及び中空糸膜が合成樹脂製ケースに収納されたカートリッジタイプであり、市場に出回っているカートリッジ構成であり、交換のために浄水器２内に着脱自在に取り付けられる構成である。
【００２７】
第２部材９０は、スイッチケース８０を流し台３０の上壁３１に安定状態で固定するために金属製であり、実施例では黄銅製である。第２部材９０は、浄水器２と電解槽３とカルシウム添加部７０へ連通する各水通路を内部に形成すると共に、カルシウム添加部７０を側方に一体形成している。カルシウム添加部７０は、上面開口の縦長円筒形をなし、この上面開口からカルシウム添加筒７５が着脱自在に収納されている。カルシウム添加筒７５は、カルシウム添加部７０の上面開口に水密状態に嵌合するキャップ７６と、網状材等によって周面に多数の通水孔が形成され内部にカルシウム剤７７を収納した縦長円筒形の収納筒７８から構成されている。収納筒７８は、その一端がキャップ７６に固定され他端の開口からカルシウム剤７７を充填できる形態であり、この他端の開口はキャップ７９によって着脱自在に塞がれている。この構成によって、カルシウム添加筒７５がカルシウム添加部７０に着脱自在に収納される。
【００２８】
また、第２部材９０には、浄水器収納部８１の底部に形成した水道水入口８１Ａと浄水出口８１Ｂと、それぞれ水密状態に連通する水道水通路９０Ａと浄水通路９０Ｂが形成されている。水道水通路９０Ａは、後述の電磁弁１４を通って流入する水道水が通る水通路であり、また浄水通路９０Ｂは、浄水フィルタ２Ａを通って浄水出口２Ｔから流出した浄水をカルシウム添加部７０へ導入する水通路である。第２部材９０には、カルシウムを補充された浄水がカルシウム添加部７０から流出する浄水供給通路９１が形成され、浄水供給通路９１は、第１部材１００内の浄水通路９２を通って、電解槽３の浄水の入口部３Ａへ連通している。
【００２９】
浄水器２から電解槽３に導入される浄水の入口部３Ａと、浄水器２へ流入する上水道水路１３を開閉する電磁弁１４とを、整水ユニット７の下部に配置している。具体的には、電解槽３は浄水器２から供給される浄水の入口部３Ａが下面に配置され、吐出水路４Ａ、４Ｂへそれぞれ接続される吐出口４Ａ１１、４Ｂ１１を上面に備えている。また、電磁弁１４は、入口部３Ａに隣接する状態で電解槽３の直下に配置され、この電磁弁１４と電解槽３は箱体６内に収納されている。電磁弁１４の入口管とパイプ１３との接続は、直接又は補助パイプを介してもよいが、箱体６の底壁において定流量弁内蔵の状態で接続環１３Ａによって接続される。
【００３０】
このように、浄水器２から電解槽３に導入される浄水の入口部３Ａと浄水器２へ流入する上水道水路１３を開閉する電磁弁１４が、整水ユニット７の下部に配置されるように、電解槽３の直下に配置されているため、電磁弁１４と浄水の入口部３Ａとを外力から保護できる効果がある。
【００３１】
１２は市井の上水道水の供給パイプを開閉する止水栓を回すための回転摘みであり、この回転摘み１２によって止水栓を開くことによって、上水道水が上水道水路を構成するパイプ１３から電磁弁１４へ至る。電磁弁１４を通過した水道水は、第１部材１００内に配置したパイプ等で形成した水道水路９３を通り、次いで第２部材９０内の水道水通路９０Ａを通って水道水入口２Ｓから浄水器２内の浄水フィルタ２Ａへ入る。浄水フィルタ２Ａへ入った水道水は浄化されて、浄水出口２Ｔから浄水となって流出し、第２部材９０内の浄水通路９０Ｂを通ってカルシウム添加部７０へ流入する。カルシウム添加部７０へ流入した浄水は、カルシウム添加筒７５の収納筒７８内に流入し、カルシウム剤７７が溶け込んだ浄水が、浄水供給通路９１とこれに連通した第１部材１００内の浄水通路９２（第１部材１００と一体成形又は別個のパイプにて構成）を通り、電解槽３の浄水の入口部３Ａを流れて電解槽３内へ流入する。この添加されるカルシウムは、電解槽３での電気分解を促進する電解促進剤の作用をするものである。
【００３２】
流し台３０の構成として、シンク３２の形状が、排水孔部３２Ｐの部分の左右両側に空間４１が形成されるように、排水孔部３２Ｐの部分が流し台３０の背面側へ向けて突出してその左右両側に空間４１が形成される凸形状であれば、この左右の空間４１のいずれか一方の空間４１に整水ユニット７が収納され、他方空間４１の上方の上壁３１には混合栓２２が取り付けられ、この他方の空間４１に上下方向に上水道水供給パイプ２５と温水供給パイプ２４が配置される。
【００３３】
また、流し台３０の構成として、シンク３２の形状が、上記のような凸形状ではなく、排水孔部３２Ｐの対向部分も含めて左右方向に略均一な空間４１が形成されるフラット形状である場合は、シンク３２の左右中央部に対応して上壁３１に混合栓２２が取り付けられ、その下方の空間４１に上下方向に上水道水供給パイプ２５と温水供給パイプ２４が配置される。そして、その左右何れかの側において空間４１に整水ユニット７が収納される配置構成とすることができる。混合栓２２は、上水道水が上水道水供給パイプ２５を通して供給され、温水が温水供給パイプ２４から供給され、上水道、温水、及び上水道と温水の混合水を選択的に取り出すことができる従来周知の構成である。
【００３４】
電解槽３は、プラスとマイナスの電極によって上水道水を電気分解してアルカリイオン水と酸性水（酸性イオン水ともいう）を生成する公知の機能を有する。一方の電極をプラスに、他方の電極をマイナスに通電する（これを「正通電」と称することとする）場合と、これとは逆に電極の極性を逆にするように一方の電極をマイナスに、他方の電極をプラスに通電する（これを「逆通電」と称することとする）場合と、両電極に通電しない場合とにスイッチ装置８によって選択できる。
【００３５】
スイッチ装置８は、スイッチ８Ａ、８Ｂ、８Ｃ、８Ｄを備え、スイッチ８ＡはＯＮごとに三つの状態、即ち、強アルカリイオン水、弱アルカリイオン水、及び浄水の三種類の水を選択するものである。この三つの選択状態は、スイッチ８ＡのＯＮごとに順次点灯が切り替えられる表示灯１７Ａ、１７Ｂ、１７Ｃの点灯によって表示される。スイッチ８Ｃは酸性水の供給を選択するスイッチであり、ＯＮによって表示灯１８が点灯し再度のＯＮによって表示灯１８が消灯する。スイッチ８Ｂは、スイッチ８Ａ又はスイッチ８ＣをＯＮさせた状態で、強アルカリイオン水、弱アルカリイオン水、浄水、又は酸性水の供給を開始し、そして停止する給水ＯＮ―ＯＦＦスイッチである。
【００３６】
スイッチ８Ｄは、浄水器２の浄水フィルタを交換する場合に使用するものであり、スイッチ８ＤをＯＮして表示灯１９を点灯させて浄水フィルタ交換中を表示し、浄水フィルタ交換後に再度スイッチ８ＤをＯＮすることによって、表示灯１９が消灯して通常状態に復帰したことを確認できる。
【００３７】
上記正通電は、スイッチ装置８のスイッチ８ＡのＯＮによってアルカリイオン水を選択した状態で給水ＯＮ―ＯＦＦスイッチ８ＢをＯＮさせることによって達成できる。スイッチ８Ａによって、例えば、表示灯１７Ａが点灯する強アルカリイオン水を選択し、給水ＯＮ―ＯＦＦスイッチ８ＢをＯＮさせることによって、電解槽３の前記電極に通電されると共に電磁弁１４が開き、上水道水がパイプ１３から浄水器２を通過して電解槽３へ導入される通路が形成される。電解槽３で生成された強アルカリイオン水が、吐出水路４Ａを通ってメインパイプ１５から取り出される。前記電極及び電磁弁１４への通電は、電装部品５の一つである図示しないリレーが自己保持することによって保持される。
【００３８】
この正通電によって酸性水も生成されるため、この酸性水は、吐出水路４Ｂを通ってサブパイプ１６から取り出されるが、この場合の正通電は強アルカリイオン水の取り出しが主体であるため、サブパイプ１６から取り出される酸性水は余水として排出される水と考えてよい。正通電の停止は、給水ＯＮ―ＯＦＦスイッチ８Ｂを再度ＯＮさせることによって、前記リレーの自己保持が解除して達成できる。
【００３９】
弱アルカリイオン水の供給は、スイッチ８Ａによって、表示灯１７Ｂが点灯した状態で給水ＯＮ―ＯＦＦスイッチ８ＢをＯＮさせることによって、同様に達成できる。
【００４０】
上記逆通電は、スイッチ装置８のスイッチ８Ｃによって酸性水を選択した状態で給水ＯＮ―ＯＦＦスイッチ８ＢをＯＮさせることによって達成できる。スイッチ８ＣをＯＮさせ、給水ＯＮ―ＯＦＦスイッチ８ＢをＯＮさせることによって、電解槽３の電極に通電されると共に電磁弁１４が開き、上水道水がパイプ１３から浄水器２を通過した後、電解槽３へ浄水が導入される通路が形成され、電解槽３で生成された酸性イオン水が、吐出水路４Ａを通ってメインパイプ１５から取り出される。電解槽３及び電磁弁１４への通電は、電装部品５の一つである図示しないリレーが自己保持することによって保持される。
【００４１】
この逆通電によってアルカリイオン水も生成されるため、このアルカリイオン水は、吐出水路４Ｂを通ってサブパイプ１６から取り出されるが、この逆通電は、酸性イオン水の取り出しが主体であるため、サブパイプ１６から取り出されるアルカリイオン水は、余水として排出される水と考えてよい。この逆通電の停止は、給水ＯＮ―ＯＦＦスイッチ８Ｂを再度ＯＮさせることによって、前記リレーの自己保持が解除して達成できる。
【００４２】
また、浄水の取り出しは、スイッチ８Ａによって表示灯１７Ｃが点灯する状態を選択し、給水ＯＮ―ＯＦＦスイッチ８ＢをＯＮさせることによって達成される。これによって、電解槽３への通電回路は遮断した状態であり、電磁弁１４は通電にて開き、上水道水がパイプ１３から浄水器２を通過して電解槽３へ導入される通路が形成されるが、電解槽３の電極には通電されていないので、上水道水が浄水器２を通過したそのままの状態で吐出水路４Ａを通ってメインパイプ１５から取り出される。また、吐出水路４Ｂを通ってサブパイプ１６からも浄水が取り出される。電磁弁１４への通電は、電装部品５の一つである図示しないリレーが自己保持することによって保持される。
【００４３】
この場合、吐出水路４Ｂを通ってサブパイプ１６からも浄水が取り出されるため、このサブパイプ１６とメインパイプ１５から取り出される浄水を同時にコップなどの容器に受けることができる。この浄水取り出しの停止は、給水ＯＮ―ＯＦＦスイッチ８Ｂを再度ＯＮさせることによって、前記リレーの自己保持が解除して達成できる。
【００４４】
本発明では上記のように、流し台３０の上壁３１の上側に浄水器２とスイッチ装置８が配置されるようにこれらがケース８０に収納され、カルシウム添加筒部７０を併設し内部にて所要の水通路を形成しスイッチ装置８０へのリード線４６を挿通する第２部材９０を介してこのケース８０を流し台３０の上壁３１に取り付けるため、浄水器２とカルシウム添加部７０に連通する水通路の形成がし易く、浄水器２、カルシウム添加部７０、スイッチ装置８の流し台３０の上面側への取り付けがし易くなる。
【００４５】
また、流し台３０の上面側に配置されるこれらの高さが制限できる構成とすることができる。更に、浄水器２のフィルタ２Ａの交換とカルシウム剤７７の補給を流し台３０の上面側から容易に行うことができるものとなる。更にまた、ネジ１０５を外せば、スイッチケース８０と第２部材９０の結合体が取り外しでき、ネジ１０４を外せばスイッチケース８０と第２部材９０は分離可能であるため、スイッチケース８０内及び第２部材９０内の各水通路の点検や修理、スイッチ装置８の点検や修理が簡素化される。
【００４６】
また、ケース８０と第１部材１００が第２部材９０を介して接続される構成によって、整水装置７と浄水器２及びカルシウム添加筒部７０との各水通路は、第１部材１００と第２部材９０によって保護されるため外力に対して安全であり、更に、各水通路を短くできるコンパクト構成の給水装置となる。
【実施例２】
【００４７】
実施例２の構成を図９乃至図１０に示す。図９は本発明に係る整水ユニットとスイッチケースとの取り付け状態を断面で示す説明側面図である。図１０は本発明に係るスイッチケースの平面視における説明図である。これらの図において、実施例１と共通する部分及び同一機能部分には同一符号を付している。この構成では、ケース８０は、前後の中間部に浄水器収納部８１を形成し、その前側にスイッチ装置８の収納部８２を一体形成した合成樹脂製である。浄水器収納部８１の後側に水通路４Ａ２、４Ｂ２のパイプを配置している。そして、ケース８０の前面にスイッチ装置８の操作部８０Ａを形成し、メインパイプ１５とサブパイプ１６がそれぞれ水通路４Ａ２、４Ｂ２に接続されて、ケース８０の上面後部から上方へ延びた状態の配置である。
【００４８】
浄水器収納部８１は上面開口の縦長円筒形をなし、その中に縦長円筒形の浄水器２を収納し、その上面開口はその周縁部に形成したネジ部に螺合するキャップ８３によって着脱自在に塞がれている。浄水器収納部８１は、底部に水道水入口８１Ａと浄水出口８１Ｂが形成され、縦長円筒形の浄水器２の底部に突出形成した水道水入口２Ｓと浄水出口２Ｔが、それぞれ水道水入口８１Ａと浄水出口８１Ｂに水密状態に嵌合している。
【００４９】
第１部材１００、第２部材９０及びスイッチケース８０の接続構成は実施例１と同様である。また、これらの中に配置される上水道水や浄水に係る各水通路の通路形状は、実施例１と若干異なる部分があるが、各水通路を流れる上水道水や浄水の流れる経路は実施例１と同様であるため、同様のイオン水が取り出せる。その他の構成や動作は実施例１と同様である。このため、実施例１と同様に効果を奏することができる。
【実施例３】
【００５０】
実施例３の構成を図１１乃び図１２に示す。図１１は本発明に係る整水ユニットとスイッチケースとの取り付け状態を断面で示す説明側面図である。図１２は本発明に係るスイッチケースの平面視における説明図である。これらの図において、実施例１と共通する部分及び同一機能部分には同一符号を付している。この構成では、実施例１において、サブパイプ１６をメインパイプ１５の下方位置へ配置した構成であり、それに伴う水通路が若干異なるものであるが、各水通路を流れる上水道水や浄水の経路は実施例１と同様であるため、同様のイオン水が取り出せる。その他の構成や動作は実施例１と同様である。また、第１部材１００、第２部材９０及びスイッチケース８０の接続構成は実施例１と同様である。
【００５１】
このため、実施例１と同様に効果を奏することができると共に、メインパイプ１５の回動範囲外にサブパイプ１６が位置するため、使用性が向上するものとなる。
【実施例４】
【００５２】
実施例４の構成を図１３乃至図１６に示す。図１３は本発明に係るスイッチケースの上面斜視図である。図１４は本発明に係る整水ユニットとスイッチケースとの取り付け状態を一部断面で示す説明正面である。図１５は本発明に係るスイッチケースの平面視における説明図である。図１６は本発明に係る整水ユニットとスイッチケースとの取り付け状態を断面で示す説明側面図である。これらの図において、実施例１と共通する部分及び同一機能部分には同一符号を付している。
【００５３】
この構成では、実施例１と大きく異なる部分は、浄水器２を横型としたことと、スイッチケース８０に一体にカルシウム添加筒部７０を形成したことである。このためスイッチケース８０は、上面にスイッチ装置８の操作部８０Ａが配置される関係で上部にスイッチ装置８の収納部８２を形成し、更にその下方には、横長円筒形の浄水器２を収納する横長円筒形の浄水器収納部８１を形成し、浄水器収納部８１と隣接して浄水器収納部８１の一側方にカルシウム添加筒部７０を形成した合成樹脂製である。そして、浄水器収納部８１の後側に実施例１に示した水通路４Ａ２、４Ｂ２のパイプが配置され、メインパイプ１５とサブパイプ１６は、それぞれ水通路４Ａ２、４Ｂ２に接続されてスイッチケース８０の上面後部から上方へ延びた状態の配置である。スイッチケース８０は、下部が第２部材９０と接続する接続部８０Ｂを形成しており、全体として図１４に示すように正面視でＴ字状を呈する形態である。
【００５４】
浄水器収納部８１とカルシウム添加筒部７０と間の隔壁８１Ｄを貫通して、浄水器２とカルシウム添加筒部７０との水通路が形成されている。即ち、横長円筒形の浄水器２は、その一方の側面（図では左側面）の中央部に水道水入口２Ｓが突出形成され、その周辺部に浄水出口２Ｔが突出形成されており、浄水器収納部８１の左側壁には、浄水器２の水道水入口２Ｓと浄水出口２Ｔが、それぞれ着脱自在に嵌合する水道水入口８１Ａと浄水出口８１Ｂが形成されている。これによって、水道水は、実施例１と同様に、第１部材１００内に配置したパイプ等で形成した水道水路９３を通り、次いで第２部材９０内から延びる水道水通路９０Ａ１を通って水道水入口２Ｓから浄水器２内の浄水フィルタ２Ａへ入る。浄水フィルタ２Ａで浄化された浄水は、浄水出口２Ｔから浄水通路９０Ｂ１を通ってカルシウム添加筒部７０内へ流入し、カルシウムが添加された浄水は、浄水供給通路９１Ａを通って第２部材９０内と第１部材１００内を通る浄水供給通路９２Ａを経て、電解槽３の浄水の入口部３Ａへ流入する。
【００５５】
浄水器収納部８１の他方の側面（図では右側面）は開口しており、その開口は、その周縁部に形成したネジ部に螺合するキャップ８３によって着脱自在に塞がれている。このため、キャップ８３を取り外して浄水器２を浄水器収納部８１から引き出し、新規の浄水器２と交換できる。
【００５６】
スイッチケース８０、第１部材及び第２部材９０の接続は実施例１と同様であり、スイッチケース８０と第２部材９０はネジ１０４で結合され、第２部材９０と第１部材１００とはネジ１０５で接続される。また、これらの中に配置される上水道水や浄水に係る各水通路の通路形状は実施例１と若干異なる部分があるが、各水通路を流れる上水道水や浄水の流れる経路は実施例１と同様であるため、同様のイオン水が取り出せる。
【００５７】
カルシウム添加部７０は、上面開口の縦長円筒形をなし、この上面開口からカルシウム添加筒７５が着脱自在に収納されている。カルシウム添加筒７５は、実施例１と同様に、カルシウム添加部７０の上面開口に水密状態に嵌合するキャップ７６と、網状材等によって周面に多数の通水孔が形成され内部にカルシウム剤７７を収納した縦長円筒形の収納筒７８から構成されている。収納筒７８は、その一端がキャップ７６に固定され他端の開口からカルシウム剤７７を充填できる形態であり、この他端の開口はキャップ７９によって着脱自在に塞がれている。この構成によって、カルシウム添加筒７５がカルシウム添加部７０に着脱自在に収納される。
【００５８】
なお、第２部材９０の部分をスイッチケース８０の下部に一体形成した合成樹脂製ケース８０の構成でもよく、その場合の第１部材１００との接続も、ネジ１０５によって行うことができる。
【００５９】
この実施例４は、横長状態の浄水器２の収納によってケース８０上面にスイッチ装置８の操作部８０Ａを配置でき、縦型浄水器の場合に比して全体の高さが更に低くなり、スイッチ装置８の操作性が向上し、浄水器２のフィルタ２Ａの交換及びカルシウム剤７７の補給等をし易い給水装置となる。
【実施例５】
【００６０】
実施例５の構成を図１７乃至図１９に示す。図１７は本発明に係る整水ユニットとスイッチケースとの取り付け状態を断面で示す説明側面図である。図１８は本発明に係るスイッチケースの平面視における説明図である。図１９は本発明に係る整水ユニットとスイッチケースとの取り付け状態を一部断面で示す説明正面である。これらの図において、実施例１および実施例４と共通する部分及び同一機能部分には同一符号を付している。この構成では、実施例４において、サブパイプ１６をメインパイプ１５の下方位置へ配置した構成であり、それに伴う水通路が若干異なるものであるが、各水通路を流れる上水道水や浄水の経路は実施例４と同様であり、同様のイオン水が取り出せる。その他の構成や動作は、実施例１および実施例４と同様である。また、第１部材１００、第２部材９０及びスイッチケース８０の接続構成は実施例４と同様である。
【００６１】
なお、第２部材９０の部分をスイッチケース８０の下部に一体形成した合成樹脂製ケース８０の構成でもよく、その場合の第１部材１００との接続も、ネジ１０５によって行うことができる。
【００６２】
この実施例５は、実施例４と同様に効果を奏することができると共に、メインパイプ１５の回動範囲外にサブパイプ１６が位置するため、使用性が向上するものとなる。
【産業上の利用可能性】
【００６３】
本発明に係る給水装置の構成、並びにケース等の取り付け構成は、上記実施形態に限定されず、本発明の技術的範囲を逸脱しない限り種々の変更が考えられ、それに係る種々の実施形態を包含するものである。
【図面の簡単な説明】
【００６４】
【図１】本発明に係る電解槽を流し台に設置した状態の正面視での説明図である。（実施例１）
【図２】本発明に係る電解槽を流し台に設置した状態の側面視での説明図である。（実施例１）
【図３】本発明に係る整水ユニットとスイッチケースとの取り付け状態を断面で示す説明側面図である。（実施例１）
【図４】本発明に係る第２接続部材とスイッチケース並びに第１接続部材との接続部分の断面による説明図である。（実施例１）
【図５】本発明に係るスイッチケースの平面視における説明図である。（実施例１）
【図６】本発明に係るスイッチケース部分の正面図である。（実施例１）
【図７】本発明に係る流し台の前方側部分の部品配置状態を示す説明平面図である。（実施例１）
【図８】本発明に係る電解槽の斜視図である。（実施例１）
【図９】本発明に係る整水ユニットとスイッチケースとの取り付け状態を断面で示す説明側面図である。（実施例２）
【図１０】本発明に係るスイッチケースの平面視における説明図である。（実施例２）
【図１１】本発明に係る整水ユニットとスイッチケースとの取り付け状態を断面で示す説明側面図である。（実施例３）
【図１２】本発明に係るスイッチケースの平面視における説明図である。（実施例３）
【図１３】本発明に係るスイッチケースの上面斜視図である。（実施例４）
【図１４】本発明に係る整水ユニットとスイッチケースとの取り付け状態を一部断面で示す説明正面である。（実施例４）
【図１５】本発明に係るスイッチケースの平面視における説明図である。（実施例４）
【図１６】本発明に係る整水ユニットとスイッチケースとの取り付け状態を断面で示す説明側面図である。（実施例４）
【図１７】本発明に係る整水ユニットとスイッチケースとの取り付け状態を断面で示す説明側面図である。（実施例５）
【図１８】本発明に係るスイッチケースの平面視における説明図である。（実施例５）
【図１９】本発明に係る整水ユニットとスイッチケースとの取り付け状態を一部断面で示す説明正面である。（実施例５）
【符号の説明】
【００６５】
１・・・給水装置
２・・・浄水器
２Ａ・・浄水フィルタ
３・・・電解槽
３Ａ・・浄水の入口部
４、４Ａ、４Ｂ・・吐出水路
５・・・電装部品
６・・・箱体
７・・・整水ユニット
８・・・スイッチ装置
１４・・電磁弁
１５・・メインパイプ
１６・・サブパイプ
３０・・流し台
３１・・上板
３２・・シンク
３３・・収納空間
４１・・シンク後側空間
４６・・リード線
７０・・カルシウム添加部
７５・・カルシウム添加筒
７６・・キャップ
７７・・カルシウム剤
７８・・収納筒
８０・・スイッチケース
８０Ａ・・スイッチ操作部
８１・・浄水器収納部
８２・・スイッチ装置の収納部
８３・・キャップ
９０・・第２部材
１００・・接続筒体
【図１】
2006057281.tif 000003
【図２】
2006057281.tif 000004
【図３】
2006057281.tif 000005
【図４】
2006057281.tif 000006
【図５】
2006057281.tif 000007
【図６】
2006057281.tif 000008
【図７】
2006057281.tif 000009
【図８】
2006057281.tif 000010
【図９】
2006057281.tif 000011
【図１０】
2006057281.tif 000012
【図１１】
2006057281.tif 000013
【図１２】
2006057281.tif 000014
【図１３】
2006057281.tif 000015
【図１４】
2006057281.tif 000016
【図１５】
2006057281.tif 000017
【図１６】
2006057281.tif 000018
【図１７】
2006057281.tif 000019
【図１８】
2006057281.tif 000020
【図１９】
2006057281.tif 000021